(57)【要約】【課題】アクセス件数が多い場合においてもデータベースへの読み書きが速い入出金管理装置を提供する。【解決手段】入出金データを入金専用口座データベースと出金専用口座データベースとに分けて格納する。さらに、前記入金専用口座データベースに入金の記録と累積入金金額を格納する入金管理部と、前記出金専用口座データベースに出金の記録と累積出金金額を格納する出金管理部と、前記入金専用口座データベースの累積入金金額と前記出金専用口座データベースの累積出金金額から残高を計算する残高管理部とを設ける。【選択図】図２
2008077623.tif 000002
【特許請求の範囲】
【請求項１】
入金の記録を格納する入金専用口座データベースと、
出金の記録を格納する出金専用口座データベースと、
前記入金専用口座データベースに入金の記録と累積入金金額を格納する入金管理部と、
前記出金専用口座データベースに出金の記録と累積出金金額を格納する出金管理部と、
前記入金専用口座データベースの累積入金金額と前記出金専用口座データベースの累積出金金額から残高を計算する残高管理部と、
前記入金管理部と前記出金管理部と前記残高管理部とを制御し、通信回線と入出力部を介して入出力端末と接続する制御部と、
を備えることを特徴とする、入出金管理装置。
【請求項２】
出金項目ごとに複数の出金先口座番号と出金先ごとの出金金額の分配率と出金先のメールアドレスとを格納した分配率管理データベースをさらに備えることを特徴とする請求項１に記載の入出金管理装置。
【請求項３】
前記出金管理部が前記分配率に従って出金金額を出金先口座番号の口座に振り替えると同時に各出金先に出金項目と分配金額を記載したメールを送信することを特徴とする請求項２に記載の入出金管理装置。
【請求項４】
前記出金管理部が前記分配率に従って出金金額を出金先口座番号の口座に振り替えるとき、前記出金項目が興行のチケット又はＣＤのタイトル又はビデオのタイトル又はＤＶＤのタイトルである場合、前記制御部が出金を行った購入者が入力したメッセージをメールにて出金先であるタレントに配信し、そのメールを出金先のタレントが見た場合には出金先のタレントの前記制御部が出金を行った購入者にメールを見た旨のメールを配信することを特徴とする請求項３に記載の入出金管理装置。
【請求項５】
前記出金管理部が前記分配率に従って出金金額を出金先口座番号の口座に振り替えるとき、前記出金項目が募金を受け取る人物又は団体名である場合、その募金が換金された時又は遣われた時に、前記出金管理部が募金に対する謝辞を記載したメールを募金者に配信することを特徴とする請求項３に記載の入出金管理装置。
【請求項６】
前記制御部が出金項目が募金である出金情報を受け取ったとき、受信した出金に関するデータの中に募金を受け取る者の口座番号が無く、募金を受け取る者の氏名又は名称がある場合は、前記制御部は前記顧客認証部に前記顧客管理データベースを、募金を受け取る者の氏名又は名称を口座名義人名として検索し、読み出した口座番号に前記出金管理部が出金することを特徴とする請求項５記載の入出金管理装置。
【請求項７】
求人応募予定者の属性を登録する求人登録データベースをさらに備え、
前記出金管理部が、前記入出力部に求人広告の閲覧請求があったときに、予め登録されている求人条件と、前記求人登録データベースに格納されている閲覧請求をした求人応募予定者の属性を比較し、両者が一致している場合には閲覧請求をした求人応募予定者に一定の金額又は景品ポイントを与えることを特徴とする請求項１に記載の入出金管理装置。
【請求項８】
入金を口座名義人が任意に取り消すことができない入金予定金額を格納する入金プール口座ＤＢと、
出金を口座名義人が任意に取り消すことができない出金予定金額を格納する出金プール口座ＤＢと、
をさらに備えることを特徴とする請求項１に記載の入出金管理装置。
【請求項９】
前記出金管理部が、商品又は役務の提供者が商品又は役務を受注したときに出金プール口座ＤＢに出金予定金額を格納し出金途中ステータスとし、
前記出金管理部が、商品又は役務の提供者が商品又は役務を提供したときに、前記格納した出金予定金額のレコードに削除フラグを立てて前記出金途中ステータスを解除する、ことを特徴とする請求項１に記載の入出金管理装置。
【請求項１０】
前記出金管理部が出金情報を受信した際に、
前記出金管理部が口座名義人とは別の口座名義人の出金を監視する監視者の端末に出金の確認を求めるメールを送信し、前記出金管理部が監視者から出金の確認を受信したときに前記出金専用口座データベースに出金を表すレコードを追加することを特徴とする請求項１に記載の入出金管理装置。
【請求項１１】
入金の記録を格納する入金専用口座データベースと、
出金の記録を格納する出金専用口座データベースと、
前記入金専用口座データベースに入金の記録と累積入金金額を格納する入金管理部と、
前記出金専用口座データベースに出金の記録と累積出金金額を格納する出金管理部と、
前記入金専用口座データベースの累積入金金額と前記出金専用口座データベースの累積出金金額から残高を計算する残高管理部と、
前記入金管理部と前記出金管理部と前記残高管理部とを制御し、通信回線と入出力部を介して入出力端末と接続する制御部と、
を備える入出金管理装置において、
前記入金管理部が入金情報を受信したとき、前記入金専用口座データベースに入金の記録と累積入金金額とを格納するステップと、
前記出金管理部が出金情報を受信したとき、前記出金専用口座データベースに出金の記録と累積出金金額とを格納するステップと、
前記残高管理部が残高確認要求を受信したとき前記入金専用口座データベースの累積入金金額と前記出金専用口座データベースの累積出金金額から残高を計算するステップと、を実行することを特徴とする入出金管理方法。
【請求項１２】
出金項目ごとに複数の出金先口座番号と出金先ごとの出金金額の分配率と出金先のメールアドレスとを格納した分配率管理データベースをさらに備える入出金管理装置において、
前記出金管理部が出金情報を受信したとき、前記出金先口座番号の口座に出金金額に分配率を乗じた分配金額を出金するステップをさらに実行することを特徴とする請求項１１に記載の入出金管理方法。
【請求項１３】
前記出金管理部が前記分配率に従って出金金額を出金先口座番号の口座に振り替えると同時に各出金先に出金項目と分配金額を記載したメールを送信するステップをさらに実行することを特徴とする請求項１２に記載の入出金管理方法。
【請求項１４】
前記出金管理部が前記分配率に従って出金金額を出金先口座番号の口座に振り替えるとき、前記出金項目が興行のチケット又はＣＤのタイトル又はビデオのタイトル又はＤＶＤのタイトルである場合、前記出金管理部が購入に対する謝辞を記載したメールを購入者に配信するステップをさらに実行することを特徴とする請求項１３に記載の入出金管理方法。
【請求項１５】
前記出金管理部が前記分配率に従って出金金額を出金先口座番号の口座に振り替えるとき、前記出金項目が募金を受け取る人物又は団体名である場合、その募金が換金された時又は遣われた時に、前記出金管理部が募金に対する謝辞を記載したメールを募金者に配信するステップをさらに実行することを特徴とする請求項１３に記載の入出金管理方法。
【請求項１６】
前記制御部が出金項目が募金である出金情報を受け取ったとき、受信した出金に関するデータの中に募金を受け取る者の口座番号が無く、募金を受け取る者の氏名又は名称がある場合は、前記制御部は前記顧客認証部に前記顧客管理データベースを、募金を受け取る者の氏名又は名称を口座名義人名として検索し、読み出した口座番号に前記出金管理部が出金するステップをさらに実行することを特徴とする請求項１４に記載の入出金管理方法。
【請求項１７】
求人応募予定者の属性を登録する求人登録データベースをさらに備える前記入出金管理装置において、
前記出金管理部が、前記入出力部に求人広告の閲覧請求があったときに、予め登録されている求人条件と、前記求人登録データベースに格納されている閲覧請求をした求人応募予定者の属性を比較し、両者が一致している場合には閲覧請求をした求人応募予定者に一定の金額又は景品ポイントを与えるステップをさらに実行することを特徴とする請求項１１に記載の入出金管理方法。
【請求項１８】
前記出金管理部が出金情報を受信した際に、
前記出金管理部が口座名義人とは別の口座名義人の出金を監視する監視者の端末に出金の確認を求めるメールを送信するステップと、
前記出金管理部が監視者から出金の確認を受信したときに前記出金専用口座データベースに出金を表すレコードを追加するステップと、
をさらに実行することを特徴とする請求項１１に記載の入出金管理方法。
【請求項１９】
出金を口座名義人が任意に取り消すことができない出金予定金額を格納する出金プール口座データベースをさらに備える入出金管理装置において、
前記出金管理部が、商品又は役務の提供者が商品又は役務を受注したときに出金プール口座データベースに出金予定金額を格納し出金途中ステータスとするステップと、
前記出金管理部が、商品又は役務の提供者が商品又は役務を提供したときに、前記格納した出金予定金額のレコードに削除フラグを立てて前記出金途中ステータスを解除するステップと、
をさらに実行することを特徴とする請求項１１に記載の入出金管理方法。
【請求項２０】
前記出金管理部がサプライヤー宛に出金途中ステータスを設定し、サプライヤー側が未払いが起きない保証を得た上で、実際の供給を開始することを特徴とする請求項１１に記載の入出金管理方法。
【請求項２１】
販売を行うｗｅｂページのＵＲＬが固定ＵＲＬであって、この販売ページが他のサイトのｗｅｂページ内でも容易に表示させることができ、この販売ページをもって関係各社に分配を行う事から、その商品に携わった全関係者の自発的な販売促進を容易にし、かつ前記固定ＵＲＬをリンクすることができることを特徴とする請求項１１に記載の入出金管理方法。
【請求項２２】
入出力端末が販売者以外のｗｅｂサイトにおいて売り上げた金額及び売り上げた商品名及び実店舗において売り上げた金額及び商品名を制御部に転送し、前記出金管理部が印税を分配処理することを特徴とする請求項１１に記載の入出金管理方法。
【請求項２３】
前記出金項目が借金の返済であるとき、前記出金管理部が複数の債権者に分配処理することを特徴とする請求項１１に記載の入出金管理方法。
【請求項２４】
前記出金項目がパーツの購入代金であるとき、前記出金管理部がパーツの納入者に分配処理することを特徴とする請求項１１に記載の入出金管理方法。
【請求項２５】
販売に要する初期投資金額を回収し、商品又は役務の提供者に分配を開始する個数を任意に設定することを特徴とする請求項１１に記載の入出金管理方法。
【請求項２６】
ＴＶ局のサイトや、ペイパービュー番組の画面に芸能人５０音リストを公開し、見たい芸人宛に出金途中ステータスを設定し、その芸人宛の出金途中ステータスの合計金額が所定の金額に達した場合その芸人を出演させた番組をオーダーメイドにて作成することを特徴とする請求項１１に記載の入出金管理方法。
【請求項２７】
芸能人のキャスティングや、デビュー者の選考において、獲得した出金途中ステータスの合計金額が最も高かった者を起用することを特徴とする請求項１１に記載の入出金管理方法。
【請求項２８】
犯罪加害者宛の出金が犯罪被害者に分配処理されることを特徴とする請求項１１に記載の入出金管理方法。
【請求項２９】
商品販売サイトを閲覧する者の属性を登録する閲覧登録データベースをさらに備える入出金管理装置において、
前記出金管理部が、前記入出力部に商品広告の閲覧請求があったときに、予め登録されている閲覧者の条件と、前記閲覧登録データベースに格納されている閲覧請求をした商品販売サイトを閲覧する者の属性を比較し、両者が一致している場合には閲覧請求をした商品販売サイトを閲覧する者に広告を配信したくて、参加した企業が一定の金額又は景品ポイントを与えるステップをさらに実行することを特徴とする請求項１１に記載の入出金管理方法。
【請求項３０】
景品ポイントによって商品を購入可能な請求項２９に記載の入出金管理方法。
【請求項３１】
請求項３０又は３１に記載の入出金管理方法を用いた通信販売ｗｅｂシステム。
【請求項３２】
労働者の個人情報を格納する労働者登録データベースと、
求人企業に関する情報と、求人内容に関する情報を格納する求人企業データベースと、
求人企業の応札に関する情報を格納する応札データベースと、
これらに情報の入出力を行うオークション制御部とをさらに設け、
前記オークション制御部が、
労働者の入出力端末から個人情報が入力されたとき労働者登録データベースに前記個人情報を格納するとともに前記個人情報を求人企業にメールにて配信し、
求人企業の入出力端末から応札情報が入力されたとき応札データベースに前記応札情報を格納し、
前記労働者の入出力端末から落札情報が入力されたとき前記落札情報を求人企業にメールにて送信する、
ことを特徴とする請求項１に記載の入出金管理装置。
【請求項３３】
労働者の個人情報を格納する労働者登録データベースと、
求人企業に関する情報と、求人内容に関する情報を格納する求人企業データベースと、
求人企業の応札に関する情報を格納する応札データベースと、
これらに情報の入出力を行うオークション制御部とをさらに備える入出金管理装置において、
前記オークション制御部が、
労働者の入出力端末から個人情報が入力されたとき労働者登録データベースに前記個人情報を格納するとともに前記個人情報を求人企業にメールにて配信するステップと、
求人企業の入出力端末から応札情報が入力されたとき応札データベースに前記応札情報を格納するステップと、
前記労働者の入出力端末から落札情報が入力されたとき前記落札情報を求人企業にメールにて送信するステップとを、
さらに実行することを特徴とする請求項１１に記載の入出金管理方法。
【請求項３４】
前記出金管理部が、指定された日数だけ働いた場合に支払われる入社契約金に関し、求人企業の前記出金プールデータベースに前記出金途中ステータスを設定することを特徴とする請求項１９に記載の入出金管理方法。
【請求項３５】
前記労働者の入出力端末から応札状況の閲覧請求があったとき、
前記オークション制御部が、労働者ＩＤに基づいて応札ＤＢを検索し、前記労働者ＩＤを有する応札情報を企業格付け情報とともに労働者の入出力端末に送信するステップをさらに実行することを特徴とする請求項３３に記載の入出金管理方法。
【請求項３６】
前記企業格付け情報が入社契約金、企業側が入社契約金の回収に要する日数であることを特徴とする請求項３５に記載の入出金管理方法。
【発明の詳細な説明】
【技術分野】
【０００１】  本発明は、入金及び出金の記録及び残高を記録する入出金管理装置及び入出金管理方法に関するものである。
【背景技術】
【０００２】  従来は、預金などにおける入出金の情報を入金に関する情報と出金に関する情報を含んだ一つのデータベースに記録していた。このため、入金を行うときも出金を行うときもこのデータベースにアクセスする必要があり、アクセス件数が多いとデータベースへの読み書きが遅くなるという問題があった。また、アクセスの集中は記憶装置の寿命を短くするという問題があった。【０００３】  この問題に関する従来技術として、特許文献１にディスクアレイを用いて一つのファイルを複数のディスク装置に分散して格納する技術が開示されている。【０００４】  しかし、ファイルをストライピングして格納しても、アドレスが近接するレコードは同一ディスクの同一ファイルに存在するため、応答速度が常に早くなるわけではないという問題があった。
【特許文献１】特開２００６−１１３６４８号公報
【発明の開示】
【発明が解決しようとする課題】
【０００５】  本発明は上記のような問題点に鑑みてなされたものであり、アクセス件数が多い場合においてもデータベースへの読み書きが速い入出金管理装置を提供することを目的とする。
【課題を解決するための手段】
【０００６】  この目的を達成するために、請求項１に記載の入出金管理装置は、入金の記録を格納する入金専用口座データベースと；出金の記録を格納する出金専用口座データベースと；入金専用口座データベースに入金の記録と累積入金金額を格納する入金管理部と；出金専用口座データベースに出金の記録と累積出金金額を格納する出金管理部と；入金専用口座データベースの累積入金金額と出金専用口座データベースの累積出金金額から残高を計算する残高管理部と；入金管理部と出金管理部と残高管理部とを制御し、通信回線と入出力部を介して入出力端末と接続する制御部と；を備えることを特徴とする。
また、請求項１１に記載の入出金管理方法は、入金の記録を格納する入金専用口座データベースと；出金の記録を格納する出金専用口座データベースと；入金専用口座データベースに入金の記録と累積入金金額を格納する入金管理部と；出金専用口座データベースに出金の記録と累積出金金額を格納する出金管理部と；入金専用口座データベースの累積入金金額と出金専用口座データベースの累積出金金額から残高を計算する残高管理部と；入金管理部と出金管理部と前記残高管理部とを制御し、通信回線と入出力部を介して入出力端末と接続する制御部と；を備える入出金管理装置において、入金管理部が入金情報を受信したとき、入金専用口座データベースに入金の記録と累積入金金額とを格納するステップと；出金管理部が出金情報を受信したとき、前記出金専用口座データベースに出金の記録と累積出金金額とを格納するステップと；残高管理部が残高確認要求を受信したとき入金専用口座データベースの累積入金金額と出金専用口座データベースの累積出金金額から残高を計算するステップと；を有することを特徴とする。
【発明の効果】
【０００７】  本発明の入出金管理装置によれば、通常の預金口座のデータを入金専用口座データベースと出金専用口座データベースとに分けてデータベースを構成するため、アクセス件数が多い場合にもデータベースの読み書き速度が遅くなることを回避できる。
【発明を実施するための最良の形態】
【０００８】  本発明の入出金管理装置の第１の実施形態を、図面を用いて説明する。図１は本実施形態の入出金管理装置の接続関係を示す概要図である。本実施形態の入出金管理装置１０１は、ＡＴＭ（現金自動預け入れ払い機）１０２と、入出力端末１０３と、利用者端末１０４とに、通信回線１０５を介して接続している。【０００９】  入出金管理装置１０１はＣＰＵ、メモリ、外部記憶装置、通信手段などを備えたいわゆるコンピューター乃至サーバを用いて構成することができる。【００１０】  図２は本実施形態の入出金管理装置の構成を示す概要図である。本実施形態の入出金管理装置１０１は、通信回線２０２と接続し、入出力の制御を行う入出力部２０３と、顧客情報を格納する顧客管理データベース（以下、データベースをＤＢと略す。）２０６と、顧客管理ＤＢを読み書きし、顧客の認証を行う顧客認証部２０５と、入金予定の金額を格納する入金プール口座ＤＢ２０８と、入金金額と累積入金金額を格納する入金専用口座ＤＢ２０９と、入金プール口座ＤＢ２０８と入金専用口座ＤＢ２０９を読み書きする入金管理部２０７と、出金金額と累積出金金額を格納する出金専用口座ＤＢ２１１と、入金専用口座ＤＢ２０９の累積入金金額と出金専用口座ＤＢ２１１の累積出金金額とから残高を算出する残高管理部２１０と、出金予定金額を格納する出金プール口座ＤＢ２１３と、出金専用口座ＤＢ２１１と出金プール口座ＤＢ２１３とを読み書きする出金管理部２１２と、出金項目ごとに複数の出金先と出金先ごとの出金金額の分配率を格納した分配率管理ＤＢ２１４と備える。【００１１】  顧客管理ＤＢ２０６の内容は、口座番号、暗証番号、氏名、住所、電話番号、メールアドレスが含まれる。入金プール口座ＤＢ２０８は口座番号ごとに構成され、その内容は入金予約日、入金予定金額が含まれる。入金専用口座ＤＢ２０９は口座番号ごとに構成され、その内容は入金日、入金金額、累積入金金額、適用が含まれる。出金専用口座ＤＢ２１１は口座番号ごとに構成され、その内容は出金日、出金金額、累積出金金額、適用が含まれる。出金プール口座ＤＢ２１３は口座番号ごとに構成され、その内容は出金予約日、出金予定金額が含まれる。なお、上記のうち口座番号ごとに構成するとは、口座番号ごとにデータベースを別に設けても良いし、一つのデータベースを予め定められた領域に区切っても良い。口座番号は複数設けることができ、例えば複数の企業が通信販売の決済に本入金管理装置を利用できる。【００１２】  分配率管理ＤＢの内容は、出金項目すなわち各商品名又は役務名、出金項目ごとに出金先名及び出金先口座番号及び分配率が含まれる。さらに、出金先のメールアドレスを格納しても良い。一つの出金項目に複数の出金先が格納されていても良い。【００１３】  出金項目には、ビデオのタイトル、映画のタイトル、各種ＣＤ又はＤＶＤのタイトル、雑誌のタイトル、その他の商品名、借入金に固有に振られた返済ＩＤ、音楽・スポーツ・競争・その他のイベントの興行名、各種サービス名、ｗｅｂコンテンツ名、ペーパーヴューテレビタイトル名、見たいタレントの氏名又は名称、行われた詐欺に固有に振られた詐欺ＩＤ、応援したい人物名又は団体名、募金を受け取る人物又は団体名、委託販売先ごとの商品名、購入代行先ごとの商品名などが格納されうる。また、メーカー名、問屋名、販売店名などの流通経路も格納されうる。【００１４】  ここで、分配率とは売上金額を誰にどのような割合で分配するかを示す数値であり、利益の他、出演料、印税、返済金額などの割合に応じた数値が予め格納される。【００１５】  図３は本実施形態における入金処理のフローチャートである。ステップＳ３０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ３０２に進む。一致しない場合にはステップＳ３０１に戻る。【００１６】  ステップＳ３０２において、入金管理部２０７は通信回線２０２及び入出力部２０３及び制御部２０４を介して、入金予定日、入金予定金額を含む入金情報の入力を受け付け、受信する。【００１７】  次にステップＳ３０３において、入金管理部２０７は受信した入金情報を入金プール口座ＤＢ２０８に格納する。次にステップＳ３０４において、入金するかどうかの確認である入金確認を、認証を行った端末に送信する。この入金確認は同時にメールにて送信しても良い。この場合、入金予定金額は入金処理しないが入金は任意に取り消せないように構成することもできる。このような状態を入金途中ステータスと呼ぶ。【００１８】  次にステップＳ３０５において、入金管理部２０７は入金する旨の入金確認の応答を受信したかループして監視する。受信していない場合はステップＳ３０５に戻る。受信した場合はステップＳ３０６に進む。【００１９】  ステップＳ３０６において、入金管理部２０７は入金予定金額を入金プール口座ＤＢ２０８から入金専用口座ＤＢ２０９に移動し、処理を終了する。ここで、移動とは入金プール口座ＤＢ２０８の入金予定金額を格納するレコードに入金済みを表すフラグを立て、入金専用口座ＤＢ２０９に入金を表すレコードを追加することを意味する。【００２０】  図４は本実施形態における残高確認処理のフローチャートである。ステップＳ４０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ４０２に進む。一致しない場合にはステップＳ４０１に戻る。【００２１】  ステップＳ４０２において、残高管理部２１０は残高確認要求を受信したとき、入金専用口座ＤＢ２０９の累積入金金額を読み込む。累積入金金額は正の整数によって格納されている。次にステップＳ４０３において、残高管理部２１０は出金専用口座ＤＢ２１１の累積出金金額を読み込む。累積出金金額は負の整数によって��納されている。次にステップＳ４０４において、残高管理部２１０は累積入金金額と累積出金金額を加算し、残高を求め、処理を終了する。【００２２】  図５は本実施形態における出金処理のフローチャートである。ステップＳ５０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ５０２に進む。一致しない場合にはステップＳ５０１に戻る。【００２３】  ステップＳ５０２において、出金管理部２１２は通信回線２０２及び入出力部２０３及び制御部２０４を介して、出金予定日、出金予定金額を含む出金情報の入力を受け付け、受信する。出金情報は、出金先の口座番号、出金先の口座名義人名、出金項目をさらに含んでいても良い。【００２４】  次にステップＳ５０３において、出金管理部２１２は受信した出金情報を出金プール口座ＤＢ２１３に格納する。次にステップＳ５０４において、出金するかどうかの確認である出金確認を、認証を行った端末に送信する。この出金確認は同時にメールにて送信しても良い。この場合、出金予定金額は出金処理しないが出金は任意に取り消せないように構成することもできる。このような状態を出金途中ステータスと呼ぶ。出金ステータスの解除とは、例えば格納した出金予定金額のレコードに削除フラグを立てることにより、任意に出金を中止することができるようにすることを意味する。【００２５】  この出金途中ステータスの金額はｗｅｂサイトにて公開するように構成しても良い。通信販売において、販売者が販売品を発送したことを出金途中ステータスの解除の条件として出金途中ステータスの金額をｗｅｂサイト上に公開すれば、購入者は購入金額分だけ保証を得ることになる。【００２６】  次にステップＳ５０５において、出金管理部２１２は出金する旨の出金確認の応答を受信したかループして監視する。受信していない場合はステップＳ５０５に戻る。受信した場合はステップＳ５０６に進む。【００２７】  ステップＳ５０６において、出金管理部２１２は出金予定金額を出金プール口座ＤＢ２１３から出金専用口座ＤＢ２１１に移動し、処理を終了する。ここで、移動とは出金プール口座ＤＢ２１３の出金予定金額を格納するレコードに出金済みを表すフラグを立て、出金専用口座ＤＢ２１１に出金を表すレコードを追加することを意味する。【００２８】  ここで、出金専用口座ＤＢ２１１に出金を表すレコードを追加すると同時に、分配送金処理を行っても良い。分配送金処理においては出金管理部２１２が次の手順を実行する。まず出金管理部２１２は出金を表すレコードから出金項目を読み込む。次に出金管理部２１２は分配率管理ＤＢ２１４を、出金項目を基に検索し、出金先名及び出金先口座番号及び分配率を読み込む。次に出金管理部２１２は読み出した各出金先口座番号に出金金額に分配率を乗じた金額、すなわち分配金額を入金する。【００２９】  また、分配処理���行うと同時に、分配先に出金項目と分配金額とをメールにて送信するように構成しても良い。【００３０】  本実施形態の入出金管理装置及び入出金管理方法は次のような応用も可能である。第１の応用例は出金管理部２１２が前記分配率に従って出金金額を出金先口座番号の口座に振り替えるとき、前記出金項目が興行のチケット又はＣＤのタイトル又はビデオのタイトル又はＤＶＤ（ｄｉｇｉｔａｌ  ｖｅｒｓａｔｉｌｅ  ｄｉｓｃ）のタイトルである場合、前記制御部２０４が、出金を行った購入者が入力したメッセージをメールにて出金先であるタレントに配信し、そのメールを出金先のタレントが見た場合には出金先のタレントの前記制御部２０４が出金を行った購入者にメールを見た旨のメールを配信するように構成するものである。購入者のメールアドレスは顧客管理ＤＢ２０６に格納されており、出金先のメールアドレスは分配率管理ＤＢ２１４に格納されているため、本応用例は容易に実施できる。また、メールはｗｅｂメールを利用することにより、出金先のタレントがメールを見たかどうか確認でき、自動的に購入者への返信メールが配信されるように構成することも容易である。この工夫だけで、同じ興行チケットの販売であるなら、また同じ映像作品の販売であるなら、有名人に直接メッセージを伝えられるこの販売窓口を、大抵のファンが選ぶであろう。【００３１】  第２の応用例は出金管理部２１２が前記分配率に従って出金金額を出金先口座番号の口座に振り替えるとき、出金項目が募金を受け取る人物又は団体名である場合、出金管理部２１２が募金に対する謝辞を記載したメールを募金者に配信するように構成するものである。購入者のメールアドレスは顧客管理ＤＢ２０６に格納されており、出金先のメールアドレスは分配率管理ＤＢ２１４に格納されているため、本応用例は容易に実施できる。【００３２】  第２の応用例において、制御部２０４が出金項目が募金である出金に関するデータを受け取ったとき、受信した出金に関するデータの中に募金を受け取る者の口座番号が無く、募金を受け取る者の氏名又は名称がある場合は、制御部２０４は顧客認証部２０５に顧客管理ＤＢ２０６を、募金を受け取る者を口座名義人として検索し、読み出した口座番号に出金管理部２１２が出金するように構成することもできる。【００３３】  その他の応用例を以下に述べる。
前記出金管理部がサプライヤー宛に出金途中ステータスを設定した後に、制御部が取引を開始するように入出金管理方法を構成することができる。【００３４】  販売を行うｗｅｂページのＵＲＬが固定ＵＲＬであり、この販売ページが他のサイトのｗｅｂページ内に表示されることができ、かつ前記固定ＵＲＬをリンクするように入出金管理方法を構成することができる。【００３５】  入出力端末が販売者以外のｗｅｂサイトにおいて売り上げた金額及び売り上げた商品名及び実店舗において売り上げた個数及び商品名を制御部に転送し、前記出金管理部が印税を分配処理するように入出金管理方法を構成することができる。【００３６】  前記出金項目が借金の返済であるとき、前記出金管理部が債権者に分配処理するように入出金管理方法を構成することができる。【００３７】  前記出金項目がパーツの購入代金であるとき、前記出金管理部がパーツの納入者に分配処理するように入出金管理方法を構成することができる。【００３８】  販売に要する初期投資金額を購入者から出金途中ステータスの設定を受けることにより初期投資を回収し、商品又は役務の提供者に分配を開始する販売個数を任意に設定するように入出金管理方法を構成することができる。【００３９】  見たい芸人宛に出金途中ステータスを設定し、その芸人宛の出金途中ステータスの合計金額が所定の金額に達した場合その芸人を出演させた番組をオーダーメイドにて作成するように入出金管理方法を構成することができる。【００４０】  芸能人のキャスティングや、デビュー者の選考において、獲得した出金途中ステータスの合計金額が最も高かった者を起用するように入出金管理方法を構成することができる。【００４１】  犯罪加害者宛の出金が犯罪被害者に分配処理されるように入出金管理方法を構成することができる。【００４２】  商品販売サイトを閲覧する者の属性を登録する閲覧登録データベースをさらに備える入出金管理装置１０１において、出金管理部２１２が、入出力部２０３に商品広告の閲覧請求があったときに、予め登録されている閲覧者の条件と、閲覧登録データベースに格納されている閲覧請求をした商品販売サイトを閲覧する者の属性を比較し、両者が一致している場合には閲覧請求をした商品販売サイトを閲覧する者に参加した企業が一定の金額又は景品ポイントを与えるステップをさらに有する入出金管理方法を構成することができる。この入出金管理方法においては景品ポイントによって商品を購入可能なように構成することもできる。また、この入出金管理方法を用いた通信販売ｗｅｂシステムを構築することもできる。【００４３】  図６は本実施形態における出金監視処理のフローチャートである。ステップＳ３０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ６０２に進む。一致しない場合にはステップＳ６０１に戻る。【００４４���  ステップＳ６０２において、出金管理部２１２は通信回線２０２及び入出力部２０３及び制御部２０４を介して、出金予定日、出金予定金額を含む出金情報の入力を受け付け、受信する。【００４５】  次にステップＳ６０３において、出金管理部２１２は受信した出金情報を出金プール口座ＤＢ２１３に格納する。次にステップＳ６０４において、出金するかどうかの確認である出金確認を、認証を行った端末に送信する。この出金確認は同時にメールにて送信しても良い。この場合、出金金額が出金途中ステータスにおかれるように構成することもできる。【００４６】  次にステップＳ６０５において、出金管理部２１２は出金する旨の入金確認の応答を受信したかループして監視する。受信していない場合はステップＳ６０５に戻る。受信した場合はステップＳ６０６に進む。【００４７】  次にステップＳ６０６において、出金管理部２１２は監視者に出金の確認を求めるメールを送信する。ここで、監視者とは口座名義人の出金行為を監視する第三者を意味する。監視者は例えば、口座名義人が老人や精神薄弱者のような出金の是非を弁別できない精神状態にある者が振り込め詐欺のような儀網行為によって出金しないように監視する者が挙げられる。【００４８】  次にステップＳ６０７において、出金管理部２１２は監視者から出金の確認を受信したかループして監視する。出金の確認を受信しない場合はステップＳ６０７に戻る。出金を拒否する旨を受信した場合は出金プール口座ＤＢ２１３に格納した当該の出金情報を示すレコードに削除フラグを立て、処理を終了する。この場合出金途中ステータスは解除される。出金確認を受信した場合はステップＳ６０８に進む。【００４９】  ステップＳ８０６において、出金管理部２１２は出金予定金額を出金プール口座ＤＢ２１３から出金専用口座ＤＢ２１１に移動し、処理を終了する。【００５０】  以上のように、本実施形態においては入金専用口座ＤＢ２０９と出金専用口座ＤＢ２１１を別のデータベースに構成したため、アクセス件数が多い場合にもデータベースの読み書き速度が遅くなることを回避できる。また、分配送金処理を行うように構成した場合、個々に送金する工数を削減することができる。さらに、監視者に出金確認のメールを送信するように構成した場合、振り込め詐欺などの詐欺行為の被害にあう可能性を大幅に低くできる。【００５１】  図７は第２の実施形態の接続関係を示す概要図である。本実施形態は第１の実施形態の構成に求人登録ＤＢ２１５をさらに備えるものである。求人登録ＤＢ２１５の内容は、登録者に固有に振られた登録ＩＤと、登録者の氏名である氏名と、登録者の性別である性別と、登録者の連絡先である連絡先と、登録者の職務経歴と、登録者が所有する資格とを含む。【００５２】  図８は求人情報の閲覧者への出金処理のフローチャートである。ステップＳ８０１において、出金管理部２１２は通信回線２０２及び入出力部２０３及び制御部２０４を介して求人情報の閲覧請求を受信したかループして監視する。受信していない場合はステップＳ８０１に戻る。受信した場合はステップＳ８０２に進む。【００５３】  ステップＳ８０２において出金管理部２１２は閲覧請求者の登録ＩＤの入力を受け付け��。出金管理部２１２はステップＳ８０３において受信した登録ＩＤを基に求人登録ＤＢ２１５を検索し、読み出す。ステップＳ８０４において、出金管理部２１２は閲覧請求を受けた求人情報の求人条件と読み出した登録者の登録情報とを比較し、閲覧者の登録内容が閲覧した求人情報の求人条件を満たすか判定する。条件を満たさない場合はステップＳ８０４に戻り、閲覧者の次の閲覧請求を待つ。条件を満たす場合にはステップＳ８０５に進む。【００５４】  ステップＳ８０５において、出金管理部２１２は出金プール口座ＤＢ２１３から、予め求人者が登録しておいた出金予定金額を閲覧者口座に振り替える。ここで、振り替えるとは、求人者の出金プール口座ＤＢ２１３の出金予定金額を格納するレコードに出金済みを表すフラグを立て、出金専用口座ＤＢ２１１に出金を表すレコードを追加し、閲覧者の入金専用口座ＤＢ２０９に入金を表すレコードを追加することを意味する。出金プール口座ＤＢ２１３に出金予定金額がなくなった場合、又は出金予定金額を表すレコードがなくなった場合には出金専用口座ＤＢ２１１に出金を表すレコードを追加しない。【００５５】  この振替において、閲覧者の入金専用口座に入金を表すレコードを追加する代わりに景品ポイントを与えても良い。【００５６】  以上のように構成することにより、閲覧者は求人情報を閲覧するだけで金銭を取得することができるため、求人広告の閲覧件数を飛躍的に高めることができる。この一方で、求人者は出金プール口座ＤＢ２１３の出金予定金額を超えて出金することが無いため、予想外の出費を避けることができる。【００５７】  続いて第３の実施形態について説明する。第３の実施形態は労働者本人をオークションにかける装置と方法に関する。【００５８】  図９は第３の実施形態の構成を示す概要図である。本実施形態の入出金管理装置１０１は、通信回線２０２と接続し、入出力の制御を行う入出力部２０３と、顧客情報を格納する顧客管理ＤＢ２０６と、顧客管理ＤＢを読み書きし、顧客の認証を行う顧客認証部２０５と、入金予定の金額を格納する入金プール口座ＤＢ２０８と、入金金額と累積入金金額を格納する入金専用口座ＤＢ２０９と、入金プール口座ＤＢ２０８と入金専用口座ＤＢ２０９を読み書きする入金管理部２０７と、出金金額と累積出金金額を格納する出金専用口座ＤＢ２１１と、入金専用口座ＤＢ２０９の累積入金金額と出金専用口座ＤＢ２１１の累積出金金額とから残高を算出する残高管理部２１０と、出金予定金額を格納する出金プール口座ＤＢ２１３と、出金専用口座ＤＢ２１１と出金プール口座ＤＢ２１３とを読み書きする出金管理部２１２と、労働者の個人情報を格納する労働者登録ＤＢ９０１と、求人企業に関する情報及び求人内容に関する情報を格納する求人企業データベース９０２と、求人企業の応札に関する情報を格納する応札ＤＢ９０３と、労働者登録ＤＢ９０１及び求人企業データベース９０２及び応札ＤＢ９０３への情報の入出力を制御するオークション制御部９００とを備える。【００５９】  接続関係は第１の実施形態と同じである。すなわち、図１に示すとおり、本実施形態の入出金管理装置１０１は、ＡＴＭ（現金自動預け入れ払い機）１０２と、入出力端末１０３��、利用者端末１０４とに、通信回線１０５を介して接続している。【００６０】  本実施形態におけるデータベースの内容は第１の実施形態において述べたデータベースの内容と同じである。すなわち、顧客管理ＤＢ２０６の内容は、口座番号、暗証番号、氏名、住所、電話番号、メールアドレスが含まれる。入金プール口座ＤＢ２０８は口座番号ごとに構成され、その内容は入金予約日、入金予定金額が含まれる。入金専用口座ＤＢ２０９は口座番号ごとに構成され、その内容は入金日、入金金額、累積入金金額、適用が含まれる。出金専用口座ＤＢ２１１は口座番号ごとに構成され、その内容は出金日、出金金額、累積出金金額、適用が含まれる。出金プール口座ＤＢ２１３は口座番号ごとに構成され、その内容は出金予約日、出金予定金額が含まれる。なお、上記のうち口座番号ごとに構成するとは、口座番号ごとにデータベースを別に設けても良いし、一つのデータベースを予め定められた領域に区切っても良い。口座番号は複数設けることができ、例えば複数の企業が通信販売の決済に本入金管理装置を利用できる。【００６１】  労働者登録ＤＢ９０１の内容は、個人情報すなわち労働者に固有に振られた労働者ＩＤ、住所、氏名、性別、生年月日、電話番号、メールアドレス、学歴、職歴、資格、顔写真、健康状態、希望労働条件、労働技能、オークション期間が含まれるがこれに限れるものではない。【００６２】  求人企業ＤＢ９０２の内容は、求人企業に関する情報すなわち企業ごとに固有に振られた企業ＩＤ、所在地、企業名、電話番号、メールアドレス、事業内容、資本金、および求人内容に関する情報すなわち求人ごとに固有に振られた求人ＩＤ、募集職種、勤務場所、勤務時間、休日、給与、仕事内容、がそれぞれ含まれるがこれらに限られるものではない。【００６３】  応札ＤＢ９０３に格納される応札情報の内容は、応札する求人の求人ＩＤ、労働者ＩＤ、企業ＩＤ、応札企業名、給与、その他の条件が含まれるが、これらに限られるものではない。その他の条件には例えば企業の格付けを行うことに使用できる企業格付け情報が挙げられる。企業格付け情報には入社契約金、企業側が入社契約金の回収に要する日数などが含まれる。この入社契約金は入社時に支払われるものであっても、入社後指定された日数だけ働いた場合に支払われるものであっても、入社時と就労後に２分割して支払われるものであっても良い。【００６４】  各処理の処理手順は実施形態１と同じである。図３は本実施形態における入金処理のフローチャートである。ステップＳ３０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ３０２に進む。一致しない場合にはステップＳ３０１に戻る。【００６５】  ステップＳ３０２において、入金管理部２０７は通信回線２０２及び入出力部２０３及び制御部２０４を介して、入金予定日、入金予定金額を含��入金情報の入力を受け付け、受信する。【００６６】  次にステップＳ３０３において、入金管理部２０７は受信した入金情報を入金プール口座ＤＢ２０８に格納する。次にステップＳ３０４において、入金するかどうかの確認である入金確認を、認証を行った端末に送信する。この入金確認は同時にメールにて送信しても良い。この場合、入金予定金額は入金処理しないが入金は任意に取り消せないように構成することもできる。このような状態を入金途中ステータスと呼ぶ。【００６７】  次にステップＳ３０５において、入金管理部２０７は入金する旨の入金確認の応答を受信したかループして監視する。受信していない場合はステップＳ３０５に戻る。受信した場合はステップＳ３０６に進む。【００６８】  ステップＳ３０６において、入金管理部２０７は入金予定金額を入金プール口座ＤＢ２０８から入金専用口座ＤＢ２０９に移動し、処理を終了する。ここで、移動とは入金プール口座ＤＢ２０８の入金予定金額を格納するレコードに入金済みを表すフラグを立て、入金専用口座ＤＢ２０９に入金を表すレコードを追加することを意味する。【００６９】  図４は本実施形態における残高確認処理のフローチャートである。ステップＳ４０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ４０２に進む。一致しない場合にはステップＳ４０１に戻る。【００７０】  ステップＳ４０２において、残高管理部２１０は残高確認要求を受信したとき、入金専用口座ＤＢ２０９の累積入金金額を読み込む。累積入金金額は正の整数によって格納されている。次にステップＳ４０３において、残高管理部２１０は出金専用口座ＤＢ２１１の累積出金金額を読み込む。累積出金金額は負の整数によって格納されている。次にステップＳ４０４において、残高管理部２１０は累積入金金額と累積出金金額を加算し、残高を求め、処理を終了する。【００７１】  図５は本実施形態における出金処理のフローチャートである。ステップＳ５０１において、顧客認証部２０５は通信回線２０２及び入出力部２０３及び制御部２０４を介して認証要求を受信する。認証要求は認証を求める旨及び口座番号及びパスワードを含む。顧客認証部２０５は顧客管理ＤＢ２０６から口座番号を基にして顧客情報を読み出し、受信した認証要求と比較する。認証要求の口座番号とパスワードが読み出した口座番号とパスワードと一致すれば認証が成功したとしてステップＳ５０２に進む。一致しない場合にはステップＳ５０１に戻る。【００７２】  ステップＳ５０２において、出金管理部２１２は通信回線２０２及び入出力部２０３及び制御部２０４を介して、出金予定日、出金予定金額を含む出金情報の入力を受け付け、受信する。出金情報は、出金先の口座番号、出金先の口座名義人名、出金項目をさらに含んでいても良い。【００７３】  次にステップＳ５０３において、出金管���部２１２は受信した出金情報を出金プール口座ＤＢ２１３に格納する。次にステップＳ５０４において、出金するかどうかの確認である出金確認を、認証を行った端末に送信する。この出金確認は同時にメールにて送信しても良い。この場合、出金予定金額は出金処理しないが出金は任意に取り消せないように構成することもできる。このような状態を出金途中ステータスと呼ぶ。出金ステータスの解除とは、例えば格納した出金予定金額のレコードに削除フラグを立てることにより、任意に出金を中止することができるようにすることを意味する。【００７４】  この出金途中ステータスの金額はｗｅｂサイトにて公開するように構成しても良い。通信販売において、販売者が販売品を発送したことを出金途中ステータスの解除の条件として出金途中ステータスの金額をｗｅｂサイト上に公開すれば、購入者は購入金額分だけ保証を得ることになる。【００７５】  次にステップＳ５０５において、出金管理部２１２は出金する旨の出金確認の応答を受信したかループして監視する。受信していない場合はステップＳ５０５に戻る。受信した場合はステップＳ５０６に進む。【００７６】  ステップＳ５０６において、出金管理部２１２は出金予定金額を出金プール口座ＤＢ２１３から出金専用口座ＤＢ２１１に移動し、処理を終了する。ここで、移動とは出金プール口座ＤＢ２１３の出金予定金額を格納するレコードに出金済みを表すフラグを立て、出金専用口座ＤＢ２１１に出金を表すレコードを追加することを意味する。【００７７】  図１０は労働者のオークション登録処理のフローチャートである。ステップＳ１００１においてオークション制御部９００は、労働者の入出力端末から個人情報が入力されたとき、この個人情報を労働者登録ＤＢ９０１に格納する。【００７８】  次に、ステップＳ１００２においてオークション制御部９００は、労働者の入出力端末からオークション期間が入力されたとき、このオークション期間を労働者登録ＤＢ９０１に格納する。【００７９】  次に、ステップＳ１００３においてオークション制御部９００は、求人を行っている求人企業のメールアドレスを求人企業ＤＢ９０２から読み込む。次に、ステップＳ１００４において、オークション制御部９００は労働者の個人情報のうち労働者ＩＤ、性別、年齢、学歴、職歴、資格、顔写真、健康状態、労働条件、労働技能、オークション期間をメールにて求人企業に送信する。【００８０】  図１１は労働者オークション処理のフローチャートである。ステップＳ１１０１においてオークション制御部は労働者の入出力端末から応札状況の閲覧要求を受信したとき、応札ＤＢ９０３を労働者ＩＤによって検索し、該当する労働者ＩＤを有する応札情報を労働者の入出力端末に送信する。【００８１】  ここで、応札情報とともに企業格付け情報を送信しても良い。企業格付け情報は、例えば入社契約金及び企業側が入社契約金の回収に要する日数としても良い。【００８２】  次に、ステップＳ１１０２においてオークション制御部９００は労働者の入出力端末から落札する企業の選択を受信する。次に、ステップ１１０３においてオークション制御部９００は落札された求人企業の企業ＩＤによって求人企業ＤＢを検索し、求人企業の���ールアドレスを読み込む。次に、ステップＳ１１０４においてオークション制御部９００は落札された求人企業に落札した旨及び落札した労働者の個人情報を含むオークション情報を送信する。このとき初めて求人企業は労働者の住所、氏名、電話番号、メールアドレスなどの情報を入手できる。【００８３】  なお、落札に際し、指定された日数だけ働いた場合に支払われる入社契約金が契約に含まれる場合、この入社契約金に関して求人企業の出金プールデータベースに出金途中ステータスを設定し、労働者への支払いをより確実にするようにしても良い。【００８４】  また、労働者登録ＤＢ９０１には、労働者が自己をオークションにかけた履歴を残し、これを求人企業に提示することにより労働者の採否判断を容易にすることも可能である。【００８５】  以上のように、本実施形態においては労働者登録ＤＢ９０１と、求人企業ＤＢ９０２と、応札ＤＢ９０３と、オークション制御部９００を設けたため、労働者自身のオークションが可能になり、労働者はより多くの企業に自己を売り込むことができ、より好条件の企業と契約することができる。また、出金途中ステータスを設定することにより、入社契約金の支払いがより確実なものとなる。労働者入出力端末に、応札情報とともに企業格付け情報を送信することにより、労働者は企業の業績を知ることや格付けを行うこともできる。【００８６】  なお、本発明の実施形態は上記に限られるものではない。発明の趣旨を変えない範囲で種々の変更を加えて実施することができる。例えば上記の実施例から構成要素をはずしたり新たに構成要素を追加したりすることができる。
【産業上の利用可能性】
【００８７】  本発明の入出金管理装置は銀行口座への利用のほか、総勘定元帳へ利用することができる。また、入金途中ステータス及び出金途中ステータスを構成することができるため、これらは特に通信販売の決済に利用されうる。
【図面の簡単な説明】
【００８８】
【図１】第１の実施形態における入出金管理装置の接続関係を示す概要図である。
【図２】第１の実施形態における入出金管理装置の構成を示す概要図である。
【図３】第１の実施形態における入金処理のフローチャートである。
【図４】第１の実施形態における残高確認処理のフローチャートである。
【図５】第１の実施形態における出金処理のフローチャートである。
【図６】第１の実施形態における出金監視処理のフローチャートである。
【図７】第２の実施形態における接続関係を示す概要図である。
【図８】第２の実施形態における求人情報の閲覧者への出金処理のフローチャートである。
【図９】第３の実施形態の構成を示す概要図である。
【図１０】労働者のオークション登録処理のフローチャートである。
【図１１】労働者オークション処理のフローチャートである。
【符号の説明】
【００８９】２０１：入出力端末、
２０２：通信回線、
２０３：入出力部、
２０４：制御部、
２０５：顧客認証部、
２０６：顧客管理ＤＢ、
２０７：入金管理部、
２０８：入金プール口座ＤＢ、
２０９：入金専用口座ＤＢ、
２１０：残高管理部、
２１１：出金専用口座ＤＢ、
２１２：出金管理部、
２１３：出金プール口座ＤＢ、
２１４：分配率管理ＤＢ、
２１５：求人登録ＤＢ、
９０１：労働者登録ＤＢ、
９０２：求人企業ＤＢ、
９０３：応札ＤＢ。
【図１】
2008077623.tif 000003
【図２】
2008077623.tif 000004
【図３】
2008077623.tif 000005
【図４】
2008077623.tif 000006
【図５】
2008077623.tif 000007
【図６】
2008077623.tif 000008
【図７】
2008077623.tif 000009
【図８】
2008077623.tif 000010
【図９】
2008077623.tif 000011
【図１０】
2008077623.tif 000012
【図１１】
2008077623.tif 000013